(57)【特許請求の範囲】
【請求項１】
振動板と振動装置とを備え、該振動装置から伝達された振動を前記振動板から音として放射するスピーカー装置であって、
前記振動板は、丸太を輪切りにした略同心円状の年輪を有する板状体であり、前記年輪の中心が位置する芯材部と、該芯材部と辺材部との間の白線帯とを含み、前記芯材部の外周全体が前記白線帯に覆われており、
前記振動板は、丸太を輪切りにし、芯材部および辺材部に対して白線帯の厚みを薄くした板状体の乾燥体であり、
前記振動装置が、前記芯材部に直接的または間接的に当接されて前記振動板に振動を伝達していることを特徴とするスピーカー装置。
【請求項２】
前記スピーカー装置は、前記振動装置を囲むように前記振動板または補助振動板に設けられた枠体と、前記枠体と前記振動装置を挟んで前記振動板または補助振動板に対向して設けられた弾性体とを備えてなり、
前記枠体は、前記振動装置の外周との間に隙間を有して設けられ、
前記弾性体は、前記枠体と前記振動装置に跨って、該枠体と該振動装置に固着されており、
前記枠体と前記振動装置と前記弾性体とが一体化されていることを特徴とする請求項１記載のスピーカー装置。
【請求項３】
前記振動装置の外周形状が、略円柱状であり、
前記振動装置の駆動軸が該振動装置の中央に設けられ、前記枠体の内周と前記振動装置の外周との間の径方向隙間が、周方向全域で略一定であることを特徴とする請求項２記載のスピーカー装置。
【請求項４】
前記振動装置および前記枠体における、前記振動板または前記補助振動板の対向側の面全体が、前記弾性体に固着されていることを特徴とする請求項２記載のスピーカー装置。
【請求項５】
前記振動装置は、該振動装置の作動時に該振動装置の駆動軸の軸方向に付勢力が発生するように、該駆動軸の端部が、前記振動板の前記芯材部に直接に当接されている、または、前記振動板に接触させた前記補助振動板に直接に当接され、該補助振動板を介して前記振動板の前記芯材部に間接的に当接されていることを特徴とする請求項２記載のスピーカー装置。
【発明の詳細な説明】
【技術分野】
【０００１】
本発明は、スピーカー装置に関するものである。
【背景技術】
【０００２】
木材は、機能性や加工性に優れるため、古くから、家屋、家具、道具などの材料として広く用いられてきた。例えば、木材をスピーカー装置に利用するものとして、特許文献１が提案されている。特許文献１には、自然そのままの素材を活かしたスピーカー装置として、内部をくりぬいてなる中空状丸太に、スピーカー本体を、該スピーカー本体の前面部が中空状丸太の側面に設けた開口部に密接するように内蔵させた装置が提案されている。このスピーカー装置は、自然素材のインテリアになることに加えて、密閉度が高く、音の反射や割れが少なくなることが記載されている。【０００３】
また、他のスピーカー装置として、特許文献２には、アクチュエーターのボイスコイルを保護する弾性材でできたキャップに一端が設けられた筒状の駆動部材の他端に駆動部材を覆うように設けられた増幅手段と、増幅手段に設けられた伝達手段とからなり、ボイスコイルの端部と駆動部材の端部はキャップを挟んで対向して配置されている。
【先行技術文献】
【特許文献】
【０００４】
【特許文献１】実開平５−５５６８５号公報
【特許文献２】特開２０１５−１５６６０５号公報
【発明の概要】
【発明が解決しようとする課題】
【０００５】
しかしながら、特許文献１に記載されたスピーカー装置は、振動板を含めたスピーカー本体自体は既存のものを使用し、これを中空状丸太に内蔵しているため、音の反射などの面での優位性があるとしても、スピーカー本体自体の特性の改善にはならない。また、木材を振動板とする技術として、柾目または板目の薄板を複数枚重ね合わせたものがあるが、音響特性や量産性に主眼をおいた構成であり、市場には、音響特性に加えて外観性に優れるなど、より嗜好性の高いスピーカー装置のニーズが存在する。【０００６】
また、特許文献２に記載されたスピーカー装置は、放射板に連結され振動を発生した場合に、放射板に連結された駆動軸の動作方向以外の動きを阻止する方策は施されていないため、音量を得ようとした場合に、駆動軸の動作方向以外の動きが発生して、音の伝達効率が低下する傾向がある。【０００７】
本発明はこのような背景に鑑みてなされたものであり、振動装置と振動板を備えたスピーカー装置において、音響特性と外観性に優れ、また、振動装置から発生した振動を効率よく振動板に伝達することができるスピーカー装置を提供することを目的とする。
【課題を解決するための手段】
【０００８】
本発明のスピーカー装置は、振動板と振動装置とを備え、該振動装置から伝達された振動を上記振動板から音として放射するスピーカー装置であって、上記振動板は、丸太を輪切りにした略同心円状の年輪を有する板状体であり、上記年輪の中心が位置する芯材部と、該芯材部と辺材部との間の白線帯とを含み、上記芯材部の外周全体が上記白線帯に覆われており、上記振動装置が、上記芯材部に直接的または間接的に当接されて上記振動板に振動を伝達していることを特徴とする。【０００９】
上記振動板は、丸太を輪切りにし、芯材部および辺材部に対して白線帯の厚みを薄くした板状体の乾燥体であることを特徴とする。【００１０】
上記スピーカー装置は、上記振動装置を囲むように上記振動板または補助振動板に設けられた枠体と、上記枠体と上記振動装置を挟んで上記振動板または補助振動板に対向して設けられた弾性体とを備えてなり、上記枠体は、上記振動装置の外周との間に隙間を有して設けられ、上記弾性体は、上記枠体と上記振動装置に跨って、該枠体と該振動装置に固着されており、上記枠体と上記振動装置と上記弾性体とが一体化されていることを特徴とする。【００１１】
上記振動装置の外周形状が、略円柱状であり、上記振動装置の駆動軸が該振動装置の中央に設けられ、上記枠体の内周と上記振動装置の外周との間の径方向隙間が、周方向全域で略一定であることを特徴とする。【００１２】
上記振動装置および上記枠体における、上記振動板または上記補助振動板の対向側の面全体が、上記弾性体に固着されていることを特徴とする。【００１３】
上記振動装置は、該振動装置の作動時に該振動装置の駆動軸の軸方向に付勢力が発生するように、該駆動軸の端部が、上記振動板の上記芯材部に直接に当接されている、または、上記振動板に接触させた上記補助振動板に直接に当接され、該補助振動板を介して上記振動板の上記芯材部に間接的に当接されていることを特徴とする。
【発明の効果】
【００１４】
本発明のスピーカー装置は、振動板と振動装置とを備え、振動装置から伝達された振動を振動板から音として放射する装置であり、振動板が、丸太を輪切りにした略同心円状の年輪を有する板状体であり、年輪の中心が位置する芯材部と、芯材部と辺材部との間の白線帯とを含み、芯材部の外周全体が白線帯に覆われており、振動装置が、芯材部に直接的または間接的に当接されて振動板に振動を伝達しているので、振動板の外観が略同心円状の年輪を含む自然の風合いであり、外観性に優れる。また、年輪により形成された音響的ランダムな振動形態により、振動板周辺部などでの周波数の特性変化は起こりにくく、自然で柔らかな音を奏でることができ、音響特性に優れる。【００１５】
また、振動板は、丸太を輪切りにし、芯材部および辺材部に対して白線帯の厚みを薄くした板状体の乾燥体であるので、使用時における割れなどを防止できる。【００１６】
スピーカー装置において、振動装置を囲むように振動板または補助振動板に設けられた枠体と、枠体と振動装置を挟んで振動板または補助振動板に対向して設けられた弾性体とを備えてなり、枠体は、振動装置の外周との間に隙間を有して設けられ、弾性体は、枠体と振動装置に跨って、該枠体と該振動装置に固着されており、枠体と振動装置と弾性体とが一体化されているので、弾性体において、振動装置の作動時に振動装置の駆動軸方向の動作に追従した動作が発生し、この弾性体が、振動装置と枠体との並設方向への振動装置の動きを阻止するとともに、振動装置に対して該振動装置の駆動軸方向の付勢力を付加させる。これにより、振動装置に直接に当接された振動板または補助振動板に、該振動装置から発生した振動が効率よく伝達され、音量が確保され、広い音域のクリアな音を出すことができる。【００１７】
また、振動装置の外周形状が、略円柱状であり、振動装置の駆動軸が該振動装置の中央に設けられ、枠体の内周と振動装置の外周との間の径方向隙間が、周方向全域で略一定である構成の場合では、弾性体による上記付勢力の歪みがなくなり、該振動装置から発生した振動が、より効率よく振動板に伝達される。このため、音量がより確保され、広い音域のよりクリアな音を出すことができる。【００１８】
また、振動装置および枠体における、振動板または補助振動板の対向側の面全体が、弾性体に固着する構成の場合では、弾性体が振動装置と枠体との並設方向への振動装置の動きをより防止でき、かつ、振動装置に対して該振動装置の駆動軸方向の付勢力を無駄なく付加できる。【００１９】
また、振動装置が、その作動時にその駆動軸の軸方向に付勢力が発生するように、駆動軸の端部が、振動板の芯材部に直接に当接されている、または、振動板に接触させた補助振動板に直接に当接され、この補助振動板を介して振動板の芯材部に間接的に当接されている構成の場合では、振動板または補助振動板に当接する駆動軸の端部が浮上せず、振動装置で発生した振動が振動板または補助振動板に継続的に伝達される。また、駆動軸の端部の当接部分の接触点において点音源となり、振動装置で発生した振動を集中的に受けて強い振動となる。特に、この接触点が芯材部（好ましくは年輪の中心）であるため、音の振動が年輪に沿って波紋のように広がり、優れた音響特性を有する。
【図面の簡単な説明】
【００２０】
【図１】本発明のスピーカー装置の第１実施例を示す平面図である。
【図２】図１のスピーカー装置の断面図である。
【図３】本発明のスピーカー装置の第２実施例を示す平面図である。
【図４】図３のスピーカー装置の断面図である。
【図５】本発明のスピーカー装置の第３実施例を示す平面図である。
【図６】本発明のスピーカー装置の第４実施例を示す断面図である。
【図７】本発明のスピーカー装置の第５実施例を示す断面図である。
【図８】本発明のスピーカー装置の第６実施例を示す断面図である。
【発明を実施するための形態】
【００２１】
木材を振動板とする技術は、従前より提案されている。この従前の振動板は、柾目または板目の薄板を複数枚重ね合わせて、これをプレス成型して製造されている。これにより振動板の全体が構造的に均一化されている。音響特性を調整する場合、この構造板にヒダや突起を加工して設ける場合がある。なお、この種の振動板では、取り扱い性の観点などから柾目や板目の木材を使用するため、木部繊維の配向が、板に対して主に水平方向となる。
【００２２】
これに対して、本発明における振動板は、自然木材の年輪を利用して得られる。本発明における振動板は、丸太を所定の厚みに輪切りにした板状体であり、振動板の両平面は木口面であって略同心円状の年輪が見られる。また、この振動板において、少なくとも、年輪の中心である樹芯が位置する芯材部の全体と、該芯材部の外周全体を覆う白線帯とが存在した状態とされている。なお、この丸太輪切り振動板では、木部繊維の配向が、板に対して主に垂直方向となる。本発明のスピーカー装置は、中心部となる芯材部に振動装置を直接的または間接的に当接させて振動を伝達している。
【００２３】
丸太輪切り面は、柾目板と同様に均一のようであるが、微妙な不均一性が存在する。この不均一性（バラツキ）は、木質や密度、年輪の微妙な不揃いなどの極小さなものであり、樹芯を中心として放射状に面全体に渡り波紋を描くように広がっている。密度の大小などが、規則的に交互に放射状に広がっている。本発明における振動板では、このような波紋状に広がるという規則性の中において上記の不均一性が存在することで、音響的ランダムな振動形態を形成している。この音響的ランダムな振動形態は、音響上好ましい特性を引き出すと考えられる。
【００２４】
一般的な製材による柾目板と大きく異なる点は、上記のように、樹芯を中心として放射状に面全体に渡り成長量の適度な密度（質量）のランダムなバラツキが波紋を描くように広がっていることである。このため、高音域の周波数において特性変化は起きにくい。柾目板のような一般的な平面振動板の周辺部では特性変化が起きる。一方、丸太輪切り振動板は、年輪により形成された音響的ランダムな振動形態により周波数の特性変化は起こらず、自然で柔らかな音を奏でる。平面振動板でありながら、斜め４５度においても高音域まで特性の変化が少ない。また、指向特性に関して、木材としてのランダムさと年輪の規則的な均一さが程よくブレンドした振動の特性が加わり、複雑な指向特性を示す周波数領域がある。これは聴感での音響効果にとっては極めて好ましいといえる。このような音響効果は、波紋のように形成された木目以外の板材では得られないと考えられる。
【００２５】
本発明のスピーカー装置の第１実施例を図１および図２に基づいて説明する。図１はこの形態のスピーカー装置の平面図（表の面）であり、図２は図１のスピーカー装置の断面図である。
この形態のスピーカー装置１は、振動板２の一方の面側に振動装置３が当接され、振動装置３から伝達された振動を振動板２から音として放射する装置である。振動板２は、丸太を輪切りにした略同心円状の年輪を有する板状体である。図１に示すように、この形態の振動板２は、樹芯が位置する芯材部２１と、辺材部２３と、芯材部２１と辺材部２３との間の白線帯２２を含む。振動板２において、年輪の中心である樹芯が位置する芯材部２１の全体が残っており、芯材部２１の外周全体が白線帯２２に覆われている。また、白線帯２２の外周全体が、辺材部２３に覆われている。図２に示すように、この形態では、振動装置３が、芯材部２１に当接されて振動板２に振動を伝達している。
【００２６】
一般的に、芯材部２１は、丸太横断面の中心部で色の赤みがかった部分であり「赤身」とも呼ばれ、辺材部２３は丸太横断面で外周部の色の白い部分であり「白太」とも呼ばれる。また、白線帯２２は、芯材部２１から辺材部２３への「移行部」とも呼ばれる。白線帯２２が、芯材部２１と辺材部２３との間の水分の移動を制限するため、芯材部２１と辺材部２３の含水量は異なる。各部位の密度や硬さについては、充分に乾燥した状態で、辺材部２３、芯材部２１、白線帯２２の順に大きくなる。白線帯２２の部分は、細胞の密度が高く、芯材部２１よりも密度が高く、硬くなる。全体的にはこのような傾向であるが、より狭い範囲では、上述のとおりランダムなバラツキがある。芯材部２１、辺材部２３、白線帯２２の区別は、丸太横断面の目視観察で色調差により可能である。また、樹種によっては色調差がなく、外観状での区別が困難な場合には、含水率差などによる区別も可能である。なお、辺材部２３までを含めれば、少なくとも白線帯２２までは含むこととなる。
【００２７】
振動板２は、少なくとも、年輪の中心である樹芯が位置する芯材部２１の全体と、芯材部２１の外周全体を覆う白線帯２２を含めばよく、必要に応じて辺材部２３をカットしてもよい。年輪の繊維によって振動は伝達され、振動板２の全体で増幅され音として放射されるので、成長量の小さい冬目の硬い部分からは高音が出やすく、成長量の大きい夏目の柔らかい部分からは低音が出やすくなり、高音と低音がミックスされた振動が発生しやすい。振動板２は、年輪中心を含む芯材部２１から白線帯２２までを含むことで、振動源から波紋状に広がるような密度差や硬度差と上述のランダム性とを有し、１枚の振動板で低音域から高音域までの広い範囲の音を出すことができる。これに加えて、外周側が硬質の白線帯２２で固定されるため、芯材部２１の応答性や追従性に優れ、広い音域のクリアな音を出すことができる。本発明のスピーカー装置は、木の成長の中で自然と備えられた、年輪の芯材部とその周囲を囲む白線帯や辺材部を利用することで、バッフルのような固定部材を不要とできる。
【００２８】
振動板２の厚みは、特に限定されないが、概ね０．３ｍｍ〜５０ｍｍとする。振動板２の厚みは、薄いほど、応答性や追随性に優れて高音特性がよくなるが、薄すぎる場合には低音特性に劣る。振動板２の厚みの好適範囲は、１５ｍｍ〜３０ｍｍである。この範囲であると、低音域と高音域の特性のバランスに優れる。また、丸太輪切り薄板を複数枚貼り合わせた形状としてもよい。例えば、０．３〜１．０ｍｍの薄板を２枚張り合わせた形状とできる。また、この張り合わせ間に別材（例えば、和紙）を挟んだ形状とできる。
【００２９】
振動板２の外周縁形状は、特に限定されない。自然の外周縁（辺材部）を残した形状とすることで、より自然の風合いが得られる。また、樹皮は、取り除いても残した状態としてもよい。振動板は、上述の厚みを有する板状であるが、完全な平板状である必要はなく、撓んだ形態であってもよい。
【００３０】
振動板２の原料となる丸太の樹種は、特に限定されず、一般的な樹種（針葉樹、広葉樹）を利用できる。年輪が分かりやすく、また周波数特性の乱れも軽減しやすいことから、針葉樹が好ましい。針葉樹としては、具体的には、マツ科、スギ科、ヒノキ科、マキ科、ナンヨウスギ科、イチイ科、イヌガヤ科などの樹種が挙げられる。
【００３１】
振動板２は、丸太を所定の厚みに輪切りにした板状体である。この板状体は、充分に乾燥された硬質材である。大気の温度や湿度に応じて一定の含水率で平衡状態に達したものであり、充分な乾燥によって木材の細胞は収縮する。振動板２の気乾比重（ｇ／ｃｍ3）は、０．３〜０．６５程度が好ましく、０．３〜０．５程度がより好ましい。このような硬質の振動板２は、振動装置３の当接部分の接触点において点音源となりやすく、振動装置３で発生した振動を集中的に受けて強い振動となり、振動板２の全体にスムーズに振動が伝達される。また、振動板２は、適度な粘性を有しており、表面の反発係数は金属製や硬質プラスチック製のものよりも低い。このため、瞬間的な外力による加振と、継続的な励振とのいずれによって振動板２を振動させた場合でも、放射される音は高周波成分の少ない「柔らかい音」の音量が得られる。
【００３２】
丸太の乾燥は、公知の乾燥方法を採用できる。例えば、天然乾燥と人工乾燥があり、人工乾燥としては除湿式、高温式、誘導加熱式などが利用できる。丸太のような芯材のある木材は、上述のとおり、部位により含水量が異なるため、乾燥させると、芯材部と辺材部との収縮率の差による内部応力の違いで割れ（クラック）が発生するおそれがある。本発明における振動板２は、割れの有無は特に大きな影響はないが、割れがないものが外観状などの面で好ましい。
【００３３】
振動板２は、丸太を輪切りにし、芯材部および辺材部に対して白線帯の厚みを薄くした板状体を乾燥させた乾燥体とすることが好ましい。乾燥後に芯材部２１、辺材部２３、白線帯２２となる、乾燥前の板において、白線帯の部分を芯材部および辺材部に対して薄くなるように、一方面または両面から削った後に、これを乾燥することで乾燥時の割れを防止しやすくなる。また、内部応力が小さくなり、スピーカーとしての使用時における割れなどを防止できる。
【００３４】
振動装置３は、特に限定されず、芯材部２１に当接させて振動を伝達できる装置であればよい。例えば、後述する振動装置のほか、圧電素子アクチュエーター、磁歪アクチュエーターなどであってもよい。振動装置３の芯材部２１に当接させる部位は、接触面積を小さくして点音源に近い形態が好ましい。また、芯材部２１における年輪の中心である樹芯に、この部位を当接させることで、上述の本発明の各効果が得られやすくなる。また、振動装置３と芯材部２１との間に、密着する形であれば、別部材を介在させてもよい。
【００３５】
本発明のスピーカー装置の第２実施例を図３および図４に基づいて説明する。図３はこの形態のスピーカー装置の平面図（裏の面）であり、図４は図３のスピーカー装置の断面図である。
この形態のスピーカー装置１は、振動板２と、振動装置３と、振動装置３を取り囲むように振動板２に設けられた枠体４と、枠体４と振動装置３を挟んで振動板２に対向して設けられた弾性体５とを備えている。振動板２は、図１および図２の実施形態と同様であり、振動板２以外の構成が図１および図２の実施形態と異なる。枠体４は、振動装置３の外周との間に隙間３２を有して設けられている。弾性体５は、枠体４と振動装置３に跨って、枠体４と振動装置３に固着されている。これにより、枠体４と振動装置３と弾性体５とが一体化されている。振動装置３は、駆動軸３１を有し、この端部が振動板２の芯材部２１に当接されている。駆動軸３１は、振動装置３に固定され、振動装置３と一体化されている。なお、この形態では、振動板２に対して振動装置３が１つ設けられているが、これに限定されず、当接箇所が芯材部２１の範囲内であれば、小型の振動装置を複数設けることも可能である。
【００３６】
図３および図４に示すように、振動板２には、振動装置３の振動の中心軸上の近傍に設けられた略円柱状の駆動軸３１が当接されている。この駆動軸３１は、振動板２の芯材部２１の中でも年輪の中心である樹芯Ｏに当接させることが好ましい。駆動軸３１は、その軸方向が図中のＺ方向に沿った方向であり、振動板２の平面（ＸＹ方向平面）とは、その端部が略垂直に当接している。振動装置３で発生した振動は、振動板２における駆動軸３１の当接した部分（芯材部２１の樹芯Ｏ）に集中するように設計されている。このため、振動装置３は、微弱振動であっても効率よく振動板２に振動を伝達することができる。また、振動板２には、振動装置３を取り囲むように配置された枠体４と、振動装置３とが、振動装置３の振動板２に当接された駆動軸３１の側と反対側の面が弾性体５を介して枠体４に連結されて設けられている。弾性体５は、駆動軸３１の動作に追従して動作するようになっており、振動板２と枠体４と振動装置３と弾性体５は一体化されている。このようにした場合は、振動装置３から発生した振動を継続的に効率よく振動板に伝達することができ、音量が確保され、広い音域のクリアな音を出すことができる。特に、駆動軸３１の接触点が芯材部２１の樹芯Ｏであるため、音の振動が年輪に沿って波紋のように広がり、優れた音響特性を有する。
【００３７】
仮に、枠体４と振動装置３と弾性体５とを一体化しなかった場合は、振動装置３は、振動装置３が作動した時に振動板２に当接された駆動軸３１の当接箇所を支点として振り子のような動作が発生して駆動軸３１のＺ方向の駆動軸上の動作を阻害することが懸念される。この結果、振動装置３から発生した振動を継続的に効率よく振動板に伝達することができなくなるおそれがある。
【００３８】
振動装置３の駆動軸３１は、振動板２に当接した箇所が固定されていても、固定されずに静置した状態でも、弾性体５が設けられていることによって、駆動軸３１と振動板２とが密着されており、同等の効果が得られる。
【００３９】
図３および図４に示すように、弾性体５は、振動板２に設けられた枠体４と、振動装置３の外周に均一になるように配置された隙間３２と、振動装置３とを覆うように、振動板２に対して枠体４を挟んで対面する側の振動装置３と枠体４のＸ方向およびＹ方向の全面にわたって設けられている。詳細には、振動装置３の外周形状が、略円柱状であり、枠体４の振動装置３側の内周形状が、振動装置３の外周形状に対向する略円筒状であり、振動装置３の駆動軸３１が振動装置３の中央に設けられ、枠体４の内周と振動装置３の外周との間の径方向の隙間３２が、周方向全域で一定である。振動装置３および枠体４における振動板２の平面側（振動装置が当接する側）の対向側の面全体（Ｘ方向およびＹ方向の全面）が、弾性体５に固着されている。このような均一な隙間を設けることで、弾性体による後述の付勢力の歪みがなくなり、該振動装置から発生した振動が、より効率よく振動板に伝達される。
【００４０】
本発明のスピーカー装置では、内部応力（張力や撓み）が無い状態で、枠体４と振動装置３とを、弾性体５に固着させることで連結している。固着方法は特に限定されないが、接着剤の塗布による接着、両面テープによる接着、部材間の溶融接着など、任意の方法を採用できる。特に、振動装置３および枠体４における振動板２の平面側の対向側の面全体（Ｘ方向およびＹ方向の全面）を、接着剤や両面テープを用いて均一な接着力で、弾性体５に固着することが好ましい。なお、ビスなどでの数か所のみの固定の場合、弾性体による後述する付勢力が十分に得られない、または、該付勢力に歪み（Ｘ方向やＹ方向）が生じるおそれがある。枠体４および振動装置３との固着の際に、弾性体５の全面に両面テープなどを貼り付けておくことで、弾性体５の隙間３２にかかる部分は、その粘着剤などがそのまま露出した状態となる。この部分に、振動板２と枠体４と弾性体５で囲まれた空間内に混入した小さなゴミなどが吸着され、音への悪影響を低減できる。
【００４１】
上記構成の如く弾性体５を設けた場合、振動装置３が作動しない状態では弾性体５のＸ方向、Ｙ方向、およびＺ方向のいずれの方向にも付勢力となる応力は働かず振動装置３は安定している。振動装置３の作動時には、弾性体５にＸ方向、Ｙ方向、およびＺ方向に動作が加わり内部応力が発生し、振動装置３のＸ方向およびＹ方向の動作には隙間３２に張力と撓みになるような動作が同時に働く。弾性体５に発生した内部応力は隙間３２の部分で緩和され、振動装置３と枠体４との並設方向（Ｘ方向およびＹ方向）の振動装置３の動きは阻止され安定する。一方、振動装置３で発生した振動の駆動軸３１のＺ方向（図４）の動作に弾性体５は追従して動作するので、弾性体５に内部応力が発生する。弾性体５は、枠体４および振動装置３と均一な接着力の全面接着などによって固着されているので、内部応力に対する反発力が発生して、この反発力が振動装置３に対する付勢力となる。
【００４２】
また、上述のように、弾性体５は、振動装置３の作動時に、振動装置３の駆動軸３１のＺ方向の動作に連動して追従した動作が発生し、弾性体５には内部応力が発生して、該内部応力のＺ方向（図４）の反発力が振動装置３に付加される付勢力として働く。この付勢力により、振動装置３の振動板２に当接する部分が浮上せず、振動装置３で発生した振動を振動板２の芯材部２１に継続的に伝達させるようにできる。また、上記付勢力は、Ｘ方向やＹ方向へのずれがなく、駆動軸３１の振動方向であるＺ方向への力である。これらの結果、振動装置３で発生した振動を効率よく振動板２に伝達することができ、音量が確保され、広い音域のクリアな音を出すことができる。特に、振動装置の振動が微弱振動である場合でも、広い音域のクリアな音を出すことができる。
【００４３】
弾性体５としては、上述の振動装置３と枠体４との並設方向の振動装置３の動きの阻害と、振動装置３の駆動軸３１の振動動作への追従が可能であれば特に限定されない。例えば、ゴムを用いて所定厚みのシート状に形成されたものがよい。より具体的な例としては、ゴムを用いた厚み１ｍｍから１０ｍｍ程度のシート状であり、好ましくは厚み３ｍｍに調整された発泡性の天然ゴムをシート状に形成した材料を用いて、枠体４の外形に合わせた形状に加工されたものがよい。また、類似の機能を有する材料を用いて形成することも可能である。
【００４４】
枠体４としては、木材、木質材料、竹、石膏ボード、金属、ガラス、硬質プラスチックなどを採用できる。また、振動板２と同質材を用いることが好ましい。形状としては、図３および図４に例示するようなものが好ましい。すなわち、静置時における弾性体５が振動板２と略平行な平板シート状であり、弾性体５の枠体４および振動装置３との固着面が振動板２に平行な面である。詳細には、枠体４のＺ方向の寸法は、振動装置３を振動板２に静置させた時に得られる振動装置３の駆動軸３１が設けられた面と反対側の面が、振動板２と平行になり、枠体４の振動板２の側の面と反対側の面と同一面になるようにして、弾性体５を設けた場合に、弾性体５のＺ方向に内部応力が加わらないようにした寸法とすることが好ましい。また、枠体４の平面形状は、振動装置３の平面寸法の概２倍程度の寸法を一辺とする正方形に形成されたものが好ましい。
【００４５】
本発明のスピーカー装置の第３実施例を図５に基づいて説明する。図５はこの形態のスピーカー装置の平面図である。
この形態のスピーカー装置１は、枠体４の振動装置３側の内周形状を８角形状としている例である。枠体４の内周形状以外の構成は図３および図４の実施形態と同様である。振動装置３の外周形状が、略円柱状である。振動装置３の駆動軸３１が振動装置３の中央に設けられ、枠体４の内周と振動装置３の外周との間の径方向の隙間３２が、周方向全域で略一定となる。隙間の均一性は、図３の場合と比較例すれば劣るが、この場合でも、略均一な隙間により、弾性体による付勢力の歪みがなくなり、該振動装置から発生した振動が効率よく振動板に伝達される。その他、振動装置３の外周形状が略円柱状である場合には、枠体４の振動装置３側の内周形状は、８角形以上の多角形であってもよい。
【００４６】
本発明のスピーカー装置の第４実施例を図６に基づいて説明する。図６はこの形態のスピーカー装置の断面図である。
この形態のスピーカー装置１は、振動板２と振動装置との間に補助振動板６を設けた例である。補助振動板６を設ける以外の構成は図３および図４の実施形態と同様である。振動装置３は、振動板２に接触させた補助振動板６に直接に当接され、補助振動板６を介して振動板２の芯材部２１に間接的に当接されている。補助振動板６と振動板２とは、振動の伝達ロスがないように密着して固定される。この形態により、丸太輪切り材である振動板２以外の部分をユニット化でき、生産性に優れる。
【００４７】
本発明のスピーカー装置の第５実施例を図７に基づいて説明する。図７はこの形態のスピーカー装置の断面図である。
この形態のスピーカー装置１は、駆動軸３１の端部が振動板２に当接する面積を大きくして振動装置３を振動板２に静置した例である。駆動軸３１以外の構成は、図３および図４の実施形態と同様である。駆動軸３１は、略円柱状の本体の一端に円板状の鍔部が設けられた構造である。この鍔部が駆動軸３１の端部であり、該鍔部の円板平面が振動板２の芯材部２１に当接している。
また、全ての実施形態の場合において、振動板２に駆動軸３１の端部に対応する凹部を形成し、これに駆動軸３１の端部を嵌合させてもよい。これにより組み立て時の位置決めが容易となり、作業性が向上する。
【００４８】
本発明のスピーカー装置の第６実施例を図８に基づいて説明する。図８はこの形態のスピーカー装置の断面図である。
この形態のスピーカー装置１は、駆動軸３１の端部が振動板２に当接する面積を大きくして振動装置３を振動板２に固定し、かつ、枠体４に補助部材４１を設けた例である。駆動軸３１と枠体４と補助部材４１以外の構成は、図３および図４の実施形態と同様であり、駆動軸３１の詳細構成は、図７の実施形態と同様である。補助部材４１は、枠体４において、振動装置３を振動板２に静置させた時に得られる振動装置３の駆動軸３１が設けられた面と反対側の面が、振動板２と平行になり、枠体４の振動板２の側の面と反対側の面と同一面になるように簡易に寸法が調整できるようにする部材である。補助部材４１は、樹脂材、ゴムやウレタンのような弾性材などを採用できる。振動板２として自然材である丸太輪切りの薄板の振動板を採用するため、振動板に撓みなどが生じる場合がある。この場合でも、上記補助部材を設けることで、枠体および駆動軸の端部を振動板に密着させやすくなる。
【００４９】
以上、本発明を添付図面に示す実施形態に基づいて説明したが、本発明は上記各例の実施形態に限定されるものではなく、本発明の意図する範囲内であれば、適宜の設計変更を行うことが可能である。
【産業上の利用可能性】
【００５０】
本発明のスピーカー装置は、音響特性と外観性に優れ、また、振動装置から発生した振動を効率よく振動板に伝達することができるので、原料とする丸太のサイズや風合いを適宜選択することで、様々な用途におけるスピーカー装置として広く利用できる。また、本発明のスピーカー装置は、ガラスや金属、樹脂などのフレームに固定する、振動板の一部に穴を空けて吊るす、皿立てに載置するなど、種々の設置方法で利用できる。
【符号の説明】
【００５１】
１    スピーカー装置
２    振動板
２１  芯材部
２２  白線帯
２３  辺材部
３    振動装置
３１  駆動軸
３２  隙間
４    枠体
４１  補助部材
５    弾性体
６    補助振動板
【要約】
振動装置と振動板を備えたスピーカー装置において、音響特性と外観性に優れ、また、振動装置から発生した振動を効率よく振動板に伝達することができるスピーカー装置を提供する。スピーカー装置１は、振動板２と振動装置３とを備え、振動装置３から伝達された振動を振動板２から音として放射する装置であり、振動板２は、丸太を輪切りにした略同心円状の年輪を有する板状体であり、年輪の中心が位置する芯材部２１と、芯材部２１と辺材部２３との間の白線帯２２とを含み、芯材部２１の外周全体が白線帯２２に覆われており、振動装置３が、芯材部２１に直接的または間接的に当接されて振動板２に振動を伝達している。【図１】
0006810436.tif 000002
【図２】
0006810436.tif 000003
【図３】
0006810436.tif 000004
【図４】
0006810436.tif 000005
【図５】
0006810436.tif 000006
【図６】
0006810436.tif 000007
【図７】
0006810436.tif 000008
【図８】
0006810436.tif 000009